(57)【特許請求の範囲】
【請求項１】
操作面に開口部を有する筐体と、
前記開口部の対向する両縁部近傍に沿って往復移動可能に取付され、前記開口部を開閉するスライド窓と、
前記筐体の内部に収納され、非常時に前記スライド窓が開放されると外部からの入射光を受光する受光素子と、
前記受光素子の出力により前記スライド窓が開放されたと判断して非常信号を出力する制御部と、
を備えたことを特徴とする電気機器の非常ボタン構造。
【請求項２】
前記スライド窓の往復移動方向側の両端部に各々取付された窓用磁石と、
前記開口部の前記スライド窓の往復移動方向側の両縁部近傍に取付され、通常時に前記スライド窓が前記開口部を閉止した状態を保持し、非常時に前記スライド窓が前記開口部を開放した状態を保持するように、前記窓用磁石を各々吸着する筐体用磁石と、
を備えたことを特徴とする請求項１記載の電気機器の非常ボタン構造。
【請求項３】
前記スライド窓の開閉時に接触する前記筐体用磁石と前記窓用磁石とのいずれか一方の面に吸音材を設けたことを特徴とする請求項１または２記載の電気機器の非常ボタン構造。
【発明の詳細な説明】
【技術分野】
【０００１】
この発明は、電気機器の非常ボタン構造に係り、特に、非常ボタンを操作したときに音がしないようにした電気機器の非常ボタン構造に関する。  
【背景技術】
【０００２】
ホームセキュリティーシステムでは、室内での不審者遭遇時に、気づかれないように、非常ボタンを押して非常通報をしている。従来の携帯型及び固定型の非常ボタンは、略シーソー形状の操作体が筐体に軸支されており、その操作体の背面側にタクトスイッチが設けられていた。図２は従来の携帯型の非常ボタンの構造を示す図であり、図２（ａ）は非常ボタンのオフ時の正面図、図２（ｂ）はオン時の正面図、図２（ｃ）は図２（ｂ）のＣ−Ｃ断面図である。
【０００３】
図２において非常ボタン構造は、筐体２１と、筐体２１の操作面２２に設けられた開口部２３と、開口部２３の近傍の操作面２２の裏側に設けられた回転軸２４に回転可能に支持されたスイッチレバー２５と、タクトスイッチ２６を搭載した回路基板２７と、スイッチレバー２５の略中央部に設けられ、回転軸２４を回転可能に支持する支持部２５ａと、スイッチレバー２５の一端側近傍に設けられ、タクトスイッチ２６を押す押し部２５ｂと、スイッチレバー２５の一端に設けられた爪部２５ｃと、筐体２１の開口部２３の近傍の操作面２２の裏側に設けられ、スイッチレバー２５をオンとしたときに爪部２５ｃを係合する係合部２８ａ及びオフとしたときに爪部２５ｃを係合する係合部２８ｂを有する突起部２８と、筐体１の開口部２３近傍に設けられ、スイッチレバー２５をオフとしたときに他端２５ｄを格納する受け部２９とを備えている。
【０００４】
この構成において、非常ボタンをオンするときは、スイッチレバー２５のオン側を押しこむと図２（ｃ）に示すように、スイッチレバー２５の押し部２５ｂがタクトスイッチ２６を押し、タクトスイッチ２６がオンとなると同時にスイッチレバー２５の爪部２５ｃと突起部２８の係合部２８ａが係合してこの状態を保持する。そして、非常ボタンをオフするときは、スイッチレバー２５のオフ側を押すと、爪部２５ｃと突起部２８の係合部２８ａの係合がはずれ、今度は、爪部２５ｃと突起部２８の係合部２８ｂが係合し、この状態を保持する（例えば、特許文献１参照）。
【０００５】
【特許文献１】特開２００３−２４２５７６号（段落００１８、００１９、図１）
【発明の開示】
【発明が解決しようとする課題】
【０００６】
従来の非常ボタン構造は、筐体２１に設けられた回転軸２４にオン、オフ可能に軸支されたスイッチレバー２５の押し部２５ｂでタクトスイッチ２６を押すため、タクトスイッチ自体の動作音が発生し、また、スイッチ保持機構に爪部２５ｃと係合部２８ａ、２８ｂが引っかかることにより保持させるので、バチッという音がするため、室内での不審者遭遇時に、非常ボタンを押したことが気づかれてしまうというおそれがあった。
また、スイッチレバー２５の構造は、略シーソー形状であり、ストロークの確保が必要なため薄型にできないというおそれがあった。
【０００７】
この発明は上述のような課題を解決するためになされたもので、非常時の操作において音がしなく、薄型の非常ボタンを備えた電気機器を提供することを目的とする。
【課題を解決するための手段】
【０００８】
この発明の電気機器の非常ボタン構造は、操作面に開口部を有する筐体と、前記開口部の対向する両縁部近傍に沿って往復移動可能に取付され、前記開口部を開閉するスライド窓と、前記筐体の内部に収納され、非常時に前記スライド窓が開放されると外部からの入射光を受光する受光素子と、前記受光素子の出力により前記スライド窓が開放されたと判断して非常信号を出力する制御部と、を備えたものである。
【０００９】
また、前記スライド窓の往復移動方向側の両端部に各々取付された窓用磁石と、前記開口部の前記スライド窓の往復移動方向側の両縁部近傍に取付され、通常時に前記スライド窓が前記開口部を閉止した状態を保持し、非常時に前記スライド窓が前記開口部を開放した状態を保持するように、前記窓用磁石を各々吸着する筐体用磁石と、を備えたものである。
さらに、前記スライド窓の開閉時に接触する前記筐体用磁石と前記窓用磁石とのいずれか一方の面に吸音材を設けたものである。
【発明の効果】
【００１０】
この発明によれば、操作面に開口部を有する筐体と、前記開口部の対向する両縁部近傍に沿って往復移動可能に取付され、前記開口部を開閉するスライド窓と、前記筐体の内部に収納され、非常時に前記スライド窓が開放されると外部からの入射光を受光する受光素子と、前記受光素子の出力により前記スライド窓が開放されたと判断して非常信号を出力する制御部と、を備えたので、スイッチのオン（スライド窓の開放：非常信号の出力有り）およびオフ（スライド窓の閉止：非常信号の出力無し）時の操作音を無音にすることができるため、侵入者に気づかれずに操作でき、また、従来の非常ボタンに用いられる略シーソー形状のスイッチレバーのように筐体の厚み方向にストロークの確保が不要であるため、薄型構造にできる。
【００１１】
また、前記スライド窓の往復移動方向側の両端部に各々取付された窓用磁石と、前記開口部の前記スライド窓の往復移動方向側の両縁部近傍に取付され、通常時に前記スライド窓が前記開口部を閉止した状態を保持し、非常時に前記スライド窓が前記開口部を開放した状態を保持するように、前記窓用磁石を各々吸着する筐体用磁石と、を備えたので、前記スライド窓が全開または全閉状態で保持できる。さらに、前記スライド窓の開閉時に接触する前記筐体用磁石と前記窓用磁石とのいずれか一方の面に吸音材を設けたので、磁石同士が接触したとき、および、離脱したときに発生した音をなくすことができる。
【発明を実施するための最良の形態】
【００１２】
図１はこの発明の実施の形態に係る携帯型の電気機器の非常ボタン構造を示す図であり、図１（ａ）は電気機器の非常ボタン構造のオフ時の正面図、図１（ｂ）は非常ボタン構造のオン時の正面図、図１（ｃ）は図１（ｂ）のＡ−Ａ断面図、図１（ｄ）は図１（ｃ）のＢ−Ｂ断面図である。
【００１３】
図において、電気機器の非常ボタン構造は、筐体１と、筐体１の操作面２に設けられた開口部３と、開口部３の対向する両縁部３ｃ近傍で、操作面２の裏側に設けられた断面Ｌ形状のガイドレール５と、このガイドレール５に往復移動可能に支持され、開口部３を開閉するスライド窓（非常ボタン）４と、スライド窓４に設けられたつまみ４ａと、スライド窓４の閉方向スライド側の端部に取付される窓側閉用磁石６ａと、開方向スライド側の端部に取付される窓側開用磁石６ｂと、開口部３のスライド窓４の閉方向側の縁部３ａ近傍に取付され、通常時にスライド窓４が開口部３を閉止した状態を保持するように窓側閉用磁石６ａを吸着する筐体側閉用磁石７ａと、開口部３のスライド窓４の開方向側の縁部３ｂ近傍に取付され、非常時にスライド窓４が開口部３を開放した状態を保持するように窓側開用磁石６ｂを吸着する筐体側開用磁石７ｂと、を備えている。
なお、スライド窓４は、操作面２の裏側から着脱できるように、ガイドレール５には、切欠（図示せず）が設けられている。
【００１４】
また、筐体１の内部に収納され、非常時にスライド窓４が開放されると外部からの入射光を受光する受光素子８と、受光素子８の出力によりスライド窓４が開放されたと判断して非常信号を出力する制御部であるとともに受光素子８を搭載する回路基板９と、筐体側閉用磁石７ａの窓側閉用磁石６ａ側に設けられた吸音材１０ａと、筐体側開用磁石７ｂの窓側開用磁石６ｂ側に設けられた吸音材１０ｂと、を備えている。
【００１５】
なお、吸音材１０ａ、１０ｂは、ウレタン、エラストマ等が用いられる。また、受光素子８はフォトダイオード、ＣＤＳ（硫化カドミニウム）セル等が用いられる。
【００１６】
この発明の実施の形態を示す電気機器の非常ボタン構造の動作について次に説明する。
居住者が室内で不審者に遭遇したときには、通常は閉止されているスライド窓４をつまみ４ａにより開口部３を開放する方向（−印）に移動させると、スライド窓４の窓側閉用磁石６ａは筐体側の筐体側閉用磁石７ａから離脱し、スライド窓４はガイドレール５をスライドして開口部３を開放する。そして、窓側開用磁石６ｂが筐体側開用磁石７ｂに近づくと、筐体側開用磁石７ｂに吸引され、筐体側開用磁石７ｂに設けられた吸音材１０ｂに接触して停止し、スライド窓４を開放した状態を保持する。
スライド窓４が開口部３を開放すると、受光素子８が外部からの入射光を受光し、受光素子８から受光信号が出力されると、制御部はスライド窓４が開放されたと判断して非常信号を出力する。この非常信号は、ホームセキュリティーシステムの監視装置（図示せず）に送信される。
【００１７】
次に、監視装置で非常信号が受信された後で、不審者に対する安全が確認されたときに、スライド窓４をつまみ４ａにより開口部３を閉止する方向（○印）に移動させると、スライド窓４の窓側開用磁石６ｂは筐体１側の筐体側開用磁石７ｂから離脱し、スライド窓４はガイドレール５をスライドして開口部３を閉止する。そして、窓側閉用磁石６ａが筐体側閉用磁石７ａに近づくと、筐体側閉用磁石７ａが吸引され、筐体側閉用磁石７ａに設けられた吸音材１０ａに接触して停止し、スライド窓４を閉止した状態を保持する。
スライド窓４が開口部３を閉止すると、受光素子８が外部からの入射光を受光しないので、受光素子８から受光信号の出力が停止し、制御部はスライド窓４が閉止されたと判断して非常信号を停止する。
【００１８】
なお、本実施の形態は、携帯型の電気機器の非常ボタン構造について示したが、固定型の、インターホン装置の親機の非常ボタンに適用してもよく、この場合は、非常通報をドアホンや管理盤等に送信する。
また、吸音材１０ａ、１０ｂは筐体側閉用磁石７ａ、筐体側開用磁石７ｂに各々設けたが、窓側閉用磁石６ａ、窓側開用磁石６ｂ側に各々設けてもよい。
【００１９】
以上のように、スライド窓４を用いることにより、従来のスイッチレバー２５の爪部２５ｃが突起部２８に保持される時に発する非常ボタン自体の音を無音にすることができる。
また、筐体側閉用磁石７ａと筐体側開用磁石７ｂの表面に、吸音材１０ａ、１０ｂを各々設けたので、窓側閉用磁石６ａと筐体側閉用磁石７ａ及び窓側開用磁石６ｂと筐体側開用磁石７ｂの接触時および離脱時の音をなくすことができる。
さらに、スライド窓４を用いることにより、筐体１の厚み方向に非常ボタンのストロークの確保が不要であるため筐体１を薄型化することができる（例えば、従来はＨ２で、本発明はＨ１）。
【図面の簡単な説明】
【００２０】
【図１】この発明の実施の形態に係る電気機器の非常ボタン構造を示す図である。
【図２】従来の電気機器の非常ボタン構造を示す図である。
【符号の説明】
【００２１】
１  筐体、２  操作面、３  開口部、 ４  スライド窓、 ５  ガイドレール、 ６ａ  窓側閉用磁石、６ｂ  窓側開用磁石、７ａ  筐体側閉用磁石、 ７ｂ  筐体側開用磁石、８  受光素子、９  回路基板、１０ａ  吸音材、１０ｂ  吸音材。
【図１】
0005008588.tif 000002
【図２】
0005008588.tif 000003